(57)【要約】      （修正有）【課題】本体と蓋体とで形成される空間に固形芳香剤が収納された装身具において、高級感を維持しつつ軽量化を図り、さらに安価にデザインの多様化を実現する装身具を提供する。【解決手段】チェーン３と共にペンダント１を構成するペンダントトップ２は、前面が開放された皿状の本体１０と、ヒンジ部２２を介して本体１０のピン１３を支点に本体１０の前面を開閉する皿状の蓋体２０とを有している。また、本体１０と蓋体２０とで形成された空間に、具体的には本体１０に設けられた凹部に、両面接着テープで固定されて偏平な碁石状の固形芳香剤３０が収納されている。また、蓋体２０に複数の香放出用の孔２１Ａ，２１Ｂ…２１Ｂが形成されている。そして、本体１０は合成樹脂で、蓋体２０は金属板で形成されている。【選択図】図１
0003142929.tif 000002
【実用新案登録請求の範囲】
【請求項１】
固形芳香剤が収納された装身具であって、
前面が開放された本体と、
該本体の前面を覆う蓋体とを有し、
該本体と蓋体とで前記固形芳香剤の収納空間が形成されていると共に、
前記蓋体に香放出用の孔が形成されており、かつ
前記本体が合成樹脂で、蓋体が金属板で形成されていることを特徴とする装身具。
【請求項２】
前記請求項１に記載の装身具において、
前記固形芳香剤は、前記本体に接着部材で固定されていることを特徴とする装身具。
【考案の詳細な説明】
【技術分野】
【０００１】
本考案は、固形芳香剤が収納された装身具に関し、装身具の技術分野に属する。
【背景技術】
【０００２】
従来、芳香剤が収納されたペンダントやブローチ等の装身具が知られている。例えば特許文献１には、本体と蓋体とで形成される空間に香料吸収材としての芳香材が収納され、本体に設けられた孔から香水やオーデコロン等の香料を注入して前記芳香材に吸収させた装身具が開示されている。また、特許文献２には、本体と蓋体とで形成される空間に、香水を吹き付けた充填物が収納された装身具が開示されている。
【０００３】
【特許文献１】実開昭６３−４２２１５号公報
【特許文献２】実開平２−６４３１３号公報
【考案の開示】
【考案が解決しようとする課題】
【０００４】
ところで、この種の装身具は合成樹脂または金属で作製されるのが通例である。その場合に、金属製であると、高級感を与えるメリットがある反面、重量が重くなって身に着ける装身具としては問題となることがある。一方、合成樹脂製であると、軽量ではあるものの、金型を用いた射出成形により製造するので、金型費用は一般に高額であることから形状等のデザイン変更は容易ではなく、多様なデザイン性が要求される装身具としては、金属製のものに比べてコスト面で問題となることがある。
【０００５】
そこで、本考案は、本体と蓋体とで形成される空間に固形芳香剤が収納された装身具において、高級感を維持しつつ軽量化を図り、さらに安価にデザインの多様化を実現することを課題とする。
【課題を解決するための手段】
【０００６】
前記課題を解決するため、本考案は次のように構成したことを特徴とする。
【０００７】
まず、請求項１に記載の考案は、固形芳香剤が収納された装身具であって、前面が開放された本体と、該本体の前面を覆う蓋体とを有し、該本体と蓋体とで前記固形芳香剤の収納空間が形成されていると共に、前記蓋体に香放出用の孔が形成されており、かつ前記本体が合成樹脂で、蓋体が金属板で形成されていることを特徴とする。
【０００８】
そして、請求項２に記載の考案は、前記請求項１に記載の装身具において、前記固形芳香剤は、前記本体に接着部材で固定されていることを特徴とする。
【考案の効果】
【０００９】
まず、請求項１に記載の考案によれば、固形芳香剤が収納された装身具は、本体が合成樹脂で、この本体の開放された前面を覆う蓋体が金属板で形成されている。すなわち、最も目につく前面に金属製の蓋体があるので、高級感が維持される。その場合に、本体が軽量な合成樹脂で形成されているので、本体と蓋体のいずれもが金属で形成されている場合に比べ、全体としての軽量化が図られる。また、蓋体が例えば比較的簡便なプレス加工等を適用することができる金属板で作製されているので、本体と蓋体のいずれもが合成樹脂で形成されている場合に比べ、デザイン変更の容易化が図られ、もって安価にデザインの多様化が実現される。
【００１０】
そして、請求項２に記載の考案によれば、固形芳香剤が接着部材で本体に固定されている。したがって、装身具を身に着けたとき振動があっても内部で固形芳香剤ががたつかないので、不快音や固形芳香剤の摩滅が防止される。
【考案を実施するための最良の形態】
【００１１】
以下、本考案の実施の形態に係る装身具について説明する。
【００１２】
図１〜図３に示すように、装身具の一例としてのペンダント１は、ペンダントトップ２とチェーン３とを有している。そして、ペンダントトップ２は、合成樹脂で形成された本体１０と、金属板で形成された蓋体２０と、本体１０と蓋２０とで形成される空間Ｓに収納された固形芳香剤３０とで構成されている。
【００１３】
本体１０は、円形の凹部１１と、外周縁から突出する一対のピン支持部１２，１２と、ピン支持部１２，１２間に架設されたピン１３と、前記ピン支持部１２，１２とは反対側の外周縁が一部切り欠かれてなる係合部１４とを有し、前面が開放された皿状に形成されている。本体１０の作製には、例えば合成樹脂の射出成形等が適用される。
【００１４】
蓋体２０は、円形の孔２１Ａと、複数の木の葉状の孔２１Ｂ…２１Ｂと、外周縁から突出するヒンジ部２２と、ヒンジ部２２に固定されたリング状の連結部２３と、ヒンジ部２２とは反対側に位置して外周縁から突出するフック部２４とを有し、前記本体１０の前面つまり凹部１１を覆う皿状に形成されている。蓋体２０の作製には、例えば金属板のプレス加工等が適用される。
【００１５】
その場合、孔２１Ａ，２１Ｂ…２１Ｂは香放出用に設けられている。また、ヒンジ部２２は本体１０のピン１３に回転可能に外嵌しており、これにより蓋体２０はピン１３を支点にして本体１０の前面つまり凹部１１を開閉する。また、連結部２３はペンダントトップ２をチェーン３に連結するためのものである。そして、フック部２４は弾力性を有し、本体１０の係合部１４に外側から係合しており、これにより蓋体２０は本体１０に対して安定して閉じられた状態となる。
【００１６】
固形芳香剤３０は、偏平な碁石状に形成されており、両面接着テープ４０で本体１０の凹部１１に固定されている。固形芳香剤３０には、例えば芳香成分を担持した樹脂状のもので、使用期間中に硬さや形状が大きく変化しないように構成されたものが好ましい。
【００１７】
以上のように構成したことにより、固形芳香剤３０が収納されたペンダント１は、本体１０が合成樹脂で、この本体１０の開放された前面を覆う蓋体２０が金属板で形成されている。すなわち、最も目につく前面に金属製の蓋体２０があるので、高級感が維持される。その場合に、本体１０が軽量な合成樹脂で形成されているので、本体と蓋体のいずれもが金属で形成されている場合に比べ、軽量化が図られる。また、蓋体２０が例えば比較的簡便なプレス加工等を適用することができる金属板で作製されているので、本体と蓋体のいずれもが合成樹脂で形成されている場合に比べ、デザイン変更の容易化が図られ、もって安価にデザインの多様化が実現される。
【００１８】
そして、固形芳香剤３０が接着部材４０で本体１０に固定されている。したがって、ペンダント１を身に着けたとき振動があっても内部で固形芳香剤３０ががたつかないので、不快音や固形芳香剤３０の摩滅が防止される。
【００１９】
次に、別なる形状のペンダントトップを有するペンダントについて説明する。なお、以下に説明するペンダントないしペンダントトップは、前記ペンダント１ないしペンダントトップ２と形状を除いて基本的構成は同様であるので、各構成要素に対し、便宜上同じ符号を用いることにする。
【００２０】
まず、図４に示すペンダント１のペンダントトップ２は、正面視でいずれも楕円形の本体１０、蓋体２０、及び固形芳香剤３０を有し、固形芳香剤３０は、図示しない両面接着テープで本体１０に固定されている。また、蓋体２０には、香放出用の大小の星形の孔２１Ａ…２１Ａ，２１Ｂ…２１Ｂが形成されている。
【００２１】
そして、図５に示すペンダント１のペンダントトップ２は、正面視でいずれも略矩形の本体１０、蓋体２０、及び固形芳香剤３０を有し、固形芳香剤３０は、図示しない両面接着テープで本体１０に固定されている。また、蓋体２０には、香放出用の略矩形の孔２１Ａと波形の孔２１Ｂ…２１Ｂとが形成されている。
【００２２】
説明は省略するが、前記図４及び図５に示した形状のペンダント１においても、前述したと同様の作用効果が得られることになる。
【００２３】
なお、本考案は、特許請求の範囲に記載の趣旨を逸脱しない限り、具体的に詳述した前記実施の形態に限定されない。
【００２４】
例えば、ペンダントトップ２つまり本体１０、蓋体２０、及び固形芳香剤３０の形状や、蓋体２０に形成された孔２１Ａ，２１Ｂの形状及び個数は、図例のものに限らない。特に蓋体２０の孔２１Ａ，２１Ｂの形状を選択することは、デザインの多様化を効果的に促進することになり、比較的簡便なプレス加工等が適用可能な金属板で蓋体２０を形成するように構成したことのメリットは多大である。
【００２５】
また、収納された固形芳香剤３０ががたつくおそれがなければ、両面接着テープ４０による本体１０への固定を省略してもよい。
【００２６】
そして、本発明は、前記ペンダント１の他に、ネックレス、ブローチ、ネクタイピン、キーホルダ等にも適用可能である。その場合に、１組の本体及び蓋体に対して異なる香を放出する固形芳香剤を複数個組み合わせて販売すれば、購買者はケースバイケースで多様な香りを楽しむことができるようになる。
【産業上の利用可能性】
【００２７】
以上説明したように、本考案によれば、本体と蓋体とで形成される空間に固形芳香剤が収納された装身具において、高級感を維持しつつ軽量化を図り、さらに安価にデザインの多様化を実現することができる。すなわち、本考案は、装身具の技術分野に広く好適である。
【図面の簡単な説明】
【００２８】
【図１】本考案の実施の形態に係るペンダントの蓋体を閉じた状態の正面図である。
【図２】同じく蓋体を開けた状態の正面図である。
【図３】図１のＡ−Ａ線による断面図である。
【図４】異なる形状のペンダントの図１に相当する正面図である。
【図５】同じく異なる形状のペンダントの図１に相当する正面図である。
【符号の説明】
【００２９】
１      ペンダント（装身具）
１０    本体
２０    蓋体
２１Ａ，２１Ｂ    孔
３０    固形芳香剤
４０    両面接着テープ（接着部材）
Ｓ      収納空間
【図１】
0003142929.tif 000003
【図２】
0003142929.tif 000004
【図３】
0003142929.tif 000005
【図４】
0003142929.tif 000006
【図５】
0003142929.tif 000007